(57)【特許請求の範囲】
【請求項１】
一対の柄構成部が連結部により連結されている柄と、柄の前端から、互いに所定の間隔を開けて平行に突出する一対の刃とを含む医療用ナイフにおいて、柄の少なくとも前側部分の両側に一対の側壁が設けられ、それらの側壁は異なる柄構成部に別々に形成され、且つそれらの側壁の内側に、前記一対の刃がそれぞれ別個に装着されており、医療用ナイフとして組み立てられる前の柄は、前記連結部よりも前側の両柄構成部が連結部を中心に互いに拡開及び又は縮閉可能となるように、且つ前記両側壁間の間隔が遠近変更自在となるように構成されており、
双方の側壁同士の間隔を一定に保持するための間隔保持部材が、双方の側壁間に取り付けられ、一対の刃は、間隔保持部材と側壁との間にそれぞれ別個に挟着されており、刃に挿通孔が形成され、側壁に嵌合孔が形成され、間隔保持部材の両側面にそれぞれ嵌合突部が設けられ、嵌合突部が刃の挿通孔に挿通され、さらに側壁の嵌合孔に嵌合して、間隔保持部材と刃が側壁の間に装着されていることを特徴とする医療用ナイフ。
【請求項２】
一対の柄構成部が連結部により連結されている柄と、柄の前端から、互いに所定の間隔を開けて平行に突出する一対の刃とを含む医療用ナイフにおいて、柄の少なくとも前側部分の両側に一対の側壁が設けられ、それらの側壁は異なる柄構成部に別々に形成され、且つそれらの側壁の内側に、前記一対の刃がそれぞれ別個に装着されており、医療用ナイフとして組み立てられる前の柄は、前記連結部よりも前側の両柄構成部が連結部を中心に互いに拡開及び又は縮閉可能となるように、且つ前記両側壁間の間隔が遠近変更自在となるように構成されており、
柄は、その前側部分に、使用時に指先を置くことができる上壁と下壁を有し、上壁は一方の柄構成部に形成され、下壁は他方の柄構成部に形成されていることを特徴とする医療用ナイフ。
【請求項３】
双方の側壁同士の間隔を一定に保持するための間隔保持部材が、双方の側壁間に取り付けられている請求項２記載の医療用ナイフ。
【請求項４】
一対の刃は、間隔保持部材と側壁との間にそれぞれ別個に挟着されている請求項３記載の医療用ナイフ。
【請求項５】
医療用ナイフとして組み立てられる前の柄が、連結部よりも前側の柄構成部が連結部を中心に互いに拡開及び又は縮閉可能で、且つ前記両側壁間の間隔が遠近変更自在である構成として、一対の柄構成部の少なくとも一方の柄構成部が、可撓性を有する材料で形成されている請求項１乃至請求項４のいずれか一項記載の医療用ナイフ。
【請求項６】
医療用ナイフとして組み立てられる前の柄が、連結部よりも前側の柄構成部が連結部を中心に互いに拡開及び又は縮閉可能で、且つ前記両側壁間の間隔が遠近変更自在である構成として、連結部が薄肉ヒンジで形成されている請求項１乃至請求項４のいずれか一項記載の医療用ナイフ。
【請求項７】
医療用ナイフとして組み立てられる前の柄が、連結部よりも前側の柄構成部が連結部を中心に互いに拡開及び又は縮閉可能で、且つ前記両側壁間の間隔が遠近変更自在である構成として、一対の柄構成部と、それを連結する連結部は、可撓性を有する同一材料で一体に形成されている請求項１乃至請求項４のいずれか一項記載の医療用ナイフ。
【発明の詳細な説明】
【技術分野】
【０００１】
本発明は、柄の前部に一対の刃が間隔を開けて平行に取り付けられた医療用ナイフに関する。
【背景技術】
【０００２】
本発明のように、一対の刃が間隔を開けて平行に取り付けられた医療用ナイフは、主に、組織を所定の幅に切るのに使用されるナイフで、例えば、膝の前十字靭帯再建手術に使用され、刃の間隔を維持したまま膝蓋腱を切り離したり、脛骨プラグや膝蓋骨プラグを採取するときにそれらの骨に切込みを入れたり、あるいは組織を所定の幅で採取するため等に使用される医療用ナイフである。
【０００３】
医療用ナイフには、使用後、洗浄及び再滅菌処理して再使用するものと廃棄するものとがあり、最近では感染防止や、再滅菌処理のためのコストの観点から、使い捨ての医療用ナイフが使用されることが多い。本発明の医療用ナイフも主に使い捨てのものを対象としている。
【０００４】
２枚の刃を有する医療用ナイフは、例えば、特許文献１に記載されたナイフのように、インサート成形により成形される。インサート成形の場合、柄と刃が一体的に結合された状態で成形されるので、製造が容易でコストが低くなり、使い捨てナイフに適した製造方法である。通常、２枚の刃を有する医療用ナイフを用いる手術では、場合に応じて刃の間隔が異なるナイフが使用される。特許文献１に記載されたナイフは、２枚の刃の間隔を調節することができないから、刃の間隔の異なるナイフを用意しておく必要がある。したがって、刃の間隔の異なるナイフを製造するためには、別の金型が必要になり、その分コストが高くなるのである。すなわち、同じ金型を用いて、刃の間隔の異なるナイフを製造することができれば、コストを低くすることができるのである。
【０００５】
このため、例えば、特許文献２に記載されたナイフのように、２枚の刃の間隔を調節することができるナイフが提案されている。しかし、このナイフ全体を使い捨てのものとして使用する場合には製造コストが高くなり、採算が合いにくい。
【先行技術文献】
【特許文献】
【０００６】
【特許文献１】米国特許第５０２６３８５号明細書
【特許文献２】実公平１−８９８９号公報
【発明の概要】
【発明が解決しようとする課題】
【０００７】
本発明は、同一形状に成形した柄であっても、刃の間隔の異なる医療用ナイフとして組立てることができる医療用ナイフを提供することを目的とする。
【課題を解決するための手段】
【０００８】
請求項１に記載の発明は、一対の柄構成部が連結部により連結されている柄と、柄の前端から、互いに所定の間隔を開けて平行に突出する一対の刃とを含む医療用ナイフにおいて、柄の少なくとも前側部分の両側に一対の側壁が設けられ、それらの側壁は異なる柄構成部に別々に形成され、且つそれらの側壁の内側に、前記一対の刃がそれぞれ別個に装着されており、医療用ナイフとして組み立てられる前の柄は、前記連結部よりも前側の両柄構成部が連結部を中心に互いに拡開及び又は縮閉可能となるように、且つ前記両側壁間の間隔が遠近変更自在となるように構成されており、双方の側壁同士の間隔を一定に保持するための間隔保持部材が、双方の側壁間に取り付けられ、一対の刃は、間隔保持部材と側壁との間にそれぞれ別個に挟着されており、刃に挿通孔が形成され、側壁に嵌合孔が形成され、間隔保持部材の両側面にそれぞれ嵌合突部が設けられ、嵌合突部が刃の挿通孔に挿通され、さらに側壁の嵌合孔に嵌合して、間隔保持部材と刃が側壁の間に装着されている構成である。
【０００９】
請求項２記載の発明は、一対の柄構成部が連結部により連結されている柄と、柄の前端から、互いに所定の間隔を開けて平行に突出する一対の刃とを含む医療用ナイフにおいて、柄の少なくとも前側部分の両側に一対の側壁が設けられ、それらの側壁は異なる柄構成部に別々に形成され、且つそれらの側壁の内側に、前記一対の刃がそれぞれ別個に装着されており、医療用ナイフとして組み立てられる前の柄は、前記連結部よりも前側の両柄構成部が連結部を中心に互いに拡開及び又は縮閉可能となるように、且つ前記両側壁間の間隔が遠近変更自在となるように構成されており、柄は、その前側部分に、使用時に指先を置くことができる上壁と下壁を有し、上壁は一方の柄構成部に形成され、下壁は他方の柄構成部に形成されている構成である。
【００１０】
請求項３記載の発明は、双方の側壁同士の間隔を一定に保持するための間隔保持部材が、双方の側壁間に取り付けられている構成である。
【００１１】
請求項４記載の発明は、一対の刃が、間隔保持部材と側壁との間にそれぞれ別個に挟着されている構成である。
【００１２】
請求項５記載の発明は、医療用ナイフとして組み立てられる前の柄が、連結部よりも前側の柄構成部が連結部を中心に互いに拡開及び又は縮閉可能で、且つ前記両側壁間の間隔が遠近変更自在である構成として、一対の柄構成部の少なくとも一方の柄構成部が、可撓性を有する材料で形成されている構成である。
【００１３】
請求項６記載の発明は、医療用ナイフとして組み立てられる前の柄が、連結部よりも前側の柄構成部が連結部を中心に互いに拡開及び又は縮閉可能で、且つ前記両側壁間の間隔が遠近変更自在である構成として、連結部が薄肉ヒンジで形成されている構成である。
【００１４】
請求項７記載の発明は、医療用ナイフとして組み立てられる前の柄が、連結部よりも前側の柄構成部が連結部を中心に互いに拡開及び又は縮閉可能で、且つ前記両側壁間の間隔が遠近変更自在である構成として、一対の柄構成部と、それを連結する連結部は、可撓性を有する同一材料で一体に形成されている構成である。
【発明の効果】
【００１５】
請求項１に記載の発明は、柄の少なくとも前側部分の両側に一対の側壁が設けられ、それらの側壁は異なる柄構成部に別々に形成され、それらの側壁の内側に、一対の刃がそれぞれ別個に装着されている。そして、医療用ナイフとして組み立てられる前の柄は変形可能であって、連結部よりも前側の両柄構成部が連結部を中心に互いに拡開及び又は縮閉可能であり、且つ両側壁間の間隔が遠近変更自在である。したがって、刃を側壁の内側にそれぞれ装着させるときに、あらかじめ設定されている刃の間隔に合わせて、両側壁間の間隔を遠近変更させればよいので、刃の間隔が異なるナイフの組立てに対応することができる。また、医療用ナイフとして組み立てられる前の成形された柄の柄構成部は、連結部よりも前側の両柄構成部が連結部を中心に互いに拡開及び又は縮閉可能である。したがって、組立て前の柄は、あらかじめ両側壁の間隔を保持したまま相対的にずらした状態に成形して、組み立てるときに両側壁同士を対向させることが可能である。これにより、一対の刃を同時に柄に装着せず、時間をずらせてそれぞれの側壁に装着する場合に、刃を装着しない方の側壁が装着の邪魔にならないので、刃を容易に装着することができる。
【００１６】
請求項５記載の発明は、一対の柄構成部の少なくとも一方の柄構成部が、可撓性を有する材料で形成されている構成であり、請求項６記載の発明は、連結部が薄肉ヒンジで形成されている構成であり、請求項７記載の発明は、一対の柄構成部と、それを連結する連結部が、可撓性を有する同一材料で一体に形成されている構成である。したがって、これらの構成により、医療用ナイフとして組み立てられる前の柄が、連結部よりも前側の柄構成部が連結部を中心に互いに拡開及び又は縮閉可能で、且つ前記両側壁間の間隔が遠近変更自在であるものとすることができるので、組付け易いのである。
【００１７】
請求項３記載の発明は、双方の側壁同士の間隔を一定に保持するための間隔保持部材が、双方の側壁間に取り付けられている。したがって、間隔保持部材によって側壁の間隔を容易且つ正確に確定することができる。また、間隔保持部材の横幅の大きさを変えることにより、双方の側壁間の間隔を変えることができる。
【００１８】
請求項４記載の発明は、一対の刃が、間隔保持部材と側壁との間にそれぞれ別個に挟着されている構成である。したがって、間隔保持部材の間隔方向の幅を、刃の予定された間隔と同じ大きさにすれば、刃の予定された間隔を有する医療用ナイフを容易に製造することができる。また、間隔保持部材を変更することによって、刃の間隔を容易に変更することができる。
【００１９】
また、前述した請求項１に記載の発明は、前述した構成に加えて、刃に挿通孔が形成され、側壁に嵌合孔が形成され、間隔保持部材の両側面にそれぞれ嵌合突部が設けられ、嵌合突部が刃の挿通孔に挿通され、さらに側壁の嵌合孔に嵌合して、間隔保持部材と刃が側壁の間に装着されている。したがって、刃の挿通孔に間隔保持部材の嵌合突部を挿通させ、さらにその嵌合突部を側壁の嵌合孔に嵌合することにより、刃の装着と医療用ナイフの組立てをすることができるので、組立てが容易で製造時間が短縮される。
【００２０】
また、前述した請求項２記載の発明は、前述した構成に加えて、柄が、その前側部分に、使用時に指先を置くことができる上壁と下壁を有し、上壁は一方の柄構成部に形成され、下壁は他方の柄構成部に形成されている。したがって、上壁及び下壁は、ナイフの使用中に指置きとすることができるので、作業が安定する。また、それぞれの柄構成部は、それらが有する側壁と上壁又は下壁とにより、その部分の断面がそれぞれＬ字形をなす。これにより、組み立てられる前の柄の両側壁間の間隔を変更するときに、上壁又は下壁から干渉を受けることがない。
【図面の簡単な説明】
【００２１】
【図１】本発明を上側から見た斜視図である。
【図２】本発明を下側から見た斜視図である。
【図３】本発明の側面図である。
【図４】図３におけるＡ−Ａ切断端面図である。
【図５】医療用ナイフとして組み立てられる前の柄の斜視図である。
【図６】医療用ナイフとして組み立てられる前の柄の側面図である。
【図７】医療用ナイフとして組み立てられる前の柄の上面図である。
【図８】間隔保持部材の斜視図である。
【図９】刃の斜視図である。
【発明を実施するための形態】
【００２２】
次に、本発明の実施例について、図面を参照しながら説明する。なお、本実施例のナイフは、全体が使い捨てのものである。図５又は図６に示すように、医療用ナイフとして組立てられる前の柄１は、トング状に形成されていて、組立て前の柄１の柄構成部２，３はあらかじめ開いた状態に形成されている。また、図５に示すように、組立て前の柄１は、柄構成部２，３同士が対向していて、図７に示すように、互いに横幅方向にずれていない状態に形成されている。
【００２３】
柄１は、可撓性を有する材料により形成され、例えば、ポリプロピレン又はポリエチレン等の可撓性を有する熱可塑性樹脂を射出成形することにより一体形成される。柄１の柄構成部２，３は、それらの後端でＵ字形の連結部４により一体に結合されている。図１及び図２に示すように、柄１の前側には、使用時に指先を置くための上壁５と下壁６が形成されている。これらの上壁５及び下壁６は、後端の連結部４から前方に延びる柄構成部２，３の横幅を、その前側部分で広げることにより形成され、表面には滑り止めの多数の溝３８，３９が形成されている。
【００２４】
さらに、柄１の前側には、側壁７，８が形成され、表面には滑り止めの溝４０，４１が形成されている。一方の側壁７は、上壁５と直角をなすようにそれと一体に形成され、他方の側壁８は、下壁６と直角をなすようにそれと一体に形成されている。したがって、それぞれの柄構成部２，３は、それらが有する側壁７，８と上壁５又は下壁６とにより、その部分の断面がそれぞれＬ字形をなす。側壁７，８と上壁５又は下壁６とにより、断面がＬ字形をなしている部分は、柄構成部２，３が可撓性を有する材料で形成されていても、通常の取り扱いにおいて撓むことがない。これに対して、柄構成部２，３の後ろ側部分９，１０は、断面が平板状であるから撓むことが可能である。したがって、柄構成部２，３の後ろ側部分９，１０が撓むことによって、図６に示した状態から、両柄構成部２，３が連結部４を中心に互いに拡開及び又は縮閉可能である。これにより、上壁５と下壁６との間隔を遠近変更自在とすることができる。
【００２５】
前述したように、組立て前の柄１は、柄構成部２，３同士が対向していて、互いに横幅方向にずれていない状態にあるが、柄構成部２，３の後ろ側部分９，１０は、断面がＬ字形でなく薄い平板状に形成されているから横幅方向にも撓むことが可能である。したがって、図７に示す柄１の上面視で、上側の柄構成部２は、その下側の柄構成部３に対して、連結部４を中心に時計方向に回転するように撓むことができる。この場合、後ろ側部分９，１０の撓みのほかに、連結部４の捩じれが加わる。これにより、上面視で、両側壁７，８同士を遠ざけてそれらの間隔を広げることが可能である。
【００２６】
図６に示すように、双方の側壁７，８には、それぞれ細長い嵌合孔１１，１２が形成されている。次に、嵌合孔１１，１２の構成について説明するが、それらの構成は同一であるため、嵌合孔１２について説明する。嵌合孔１２は、スリット状に形成され、嵌合孔１２のスリット幅は全長に亘って同一ではなく、嵌合孔１２の嵌合孔中央部１３のスリット幅が最も大きく、嵌合孔前部１４のスリット幅はそれよりも小さく、嵌合孔後部１５のスリット幅はさらに小さい。後述するように、嵌合孔後部１５に嵌合されるべきものはなく、単に、嵌合孔１２全体のスリット幅を弾性的に広げるためのものである。
【００２７】
図５に示すように、嵌合孔中央部１３の下面１６から、嵌合孔前部１４の下面１７にかけて嵌合突条１８，１９が連設されている。図６に示すように、これらの嵌合突条１８，１９と同様の嵌合突条が、嵌合孔１２の上面にも形成されている。
【００２８】
本実施例では、双方の側壁７，８同士の間隔を一定に保持するための間隔保持部材２０が、両側壁７，８間に装着されている。図８に示すように、間隔保持部材２０の両側面に嵌合突部２１（他方は図示せず。）が設けられている。嵌合突部２１は、上下幅の小さな前側部分２２とそれよりも上下幅の大きな後ろ側部分２３とから成る。嵌合突部２１がこのような形状に形成されているのは、刃２４の挿通孔２５に挿通させるために、その挿通孔２５の形状に合わせたからである。
さらには、前述したように、嵌合孔１２の嵌合孔中央部１３のスリット幅を、嵌合孔前部１４のスリット幅よりも大きく形成したのは、その嵌合孔中央部１３と嵌合孔前部１４とに嵌合突部２１を嵌合させるためである。また、嵌合突部２１の前側部分２２の上面２６から、後ろ側部分２３の上面２７にかけて嵌合溝２８，２９が連設されている。さらに、図示しないが、嵌合突部２１の下面にも同様に嵌合溝が連設されている。なお、刃２４とその挿通孔２５の形状が、図９に示された形状をなしている理由は、この刃２４が本実施例のために形成されたのではなく、従来から外科用メスの刃として一般的に使用されている刃を、そのまま使用できるようにしたからである。したがって、本実施例では、従来から一般的に使用されている外科用メスの刃をそのまま使用することができる。なお、本発明専用の刃を成形し、この刃２４の挿通孔２５の形状と、これに挿通される間隔保持部材２０の嵌合突部２１，２１の形状を、一般的に使用されている外科用メスの刃と異なるものにしてもよいことは勿論である。
【００２９】
図４は、本実施例における柄１の柄構成部２，３と、間隔保持部材２０と、一対の刃２４，２４の組付け状態を示す断面図である。間隔保持部材２０は、柄構成部２，３の両側壁７，８の間に装着されており、間隔保持部材２０と両側壁７，８との間に、それぞれ刃２４，２４が装着されている。間隔保持部材２０の嵌合突部２１，２１は、それぞれ刃２４の挿通孔２５に挿通され、さらに、両側壁７，８の嵌合孔１１，１２に嵌合されている。側壁７，８の嵌合突条１８，１８が、嵌合突部２１，２１のそれぞれの嵌合溝２９に嵌り込んで、嵌合を確実なものとしている。また、図４には示されていないが、側壁７，８の嵌合突条１９，１９も、嵌合突部２１，２１のそれぞれの嵌合溝２８に嵌り込んでいる。図４における双方の刃２４，２４の間隔は９ｍｍである。間隔が１０ｍｍの医療用ナイフを製造するときは、柄１の形状や大きさを変える必要がなく、間隔保持部材２０の幅を１ｍｍ広げて１０ｍｍとしたものを成形して装着すればよい。幅が１０ｍｍの間隔保持部材２０を両側壁７，８の間に装着すると、柄構成部２，３が撓んで、両側壁７，８の間隔が１ｍｍ大きく開いた状態で刃２４，２４が装着される。その際、側壁７の下端３０と下壁６の端部３１がややずれると共に、側壁８の上端３２と上壁５の端部３３もややずれるが、それらのずれはわずかであって使用上支障が生じることはない。また、側壁７と上壁５及び側壁８と下壁６とはそれぞれ断面がＬ字形をなしている。そして、前述した側壁７の下端３０と下壁６の端部３１とのずれ、及び側壁８の上端３２と上壁５の端部３３とのずれは、共に上壁５の下側と下壁６の上側において生じるから、指先を置くための上壁５と下壁６の表面状態が変更されるものではなく、指先を置くことに支障が生じることがない。さらに、図１及び図２に示すように、側壁７，８の前端部３４，３５と、間隔保持部材２０の前端部３６，３７の形状がほぼ同一に形成されている。したがって、双方の刃２４，２４は、柄１の前端部に至るまで、側壁７，８と間隔保持部材２０とによって両側から挟持されており、刃２０，２０を撓みにくいものとしている。
【００３０】
次に、本実施例の医療用ナイフの組立て方法について説明する。まず、間隔保持部材２０を、一方の嵌合突部２１が上側になるように固定する。次に、間隔保持部材２０の上側面に刃２４をセットするために、間隔保持部材２０の上側の嵌合突部２１と刃２４の挿通孔２５との位置を合わせ、嵌合突部２１が刃２４の挿通孔２５に挿通されるように、刃２４を間隔保持部材２０の上側面に載せてセットする。次に、射出成形により成形された柄１を、一方の柄構成部２が下側に、他方の柄構成部３が上側になるようにして用意する。すなわち、図６に示した柄１が、その用意された柄１の上面視となる。この状態で、上側の側壁８を、刃２４が載せられている間隔保持部材２０の上に重ね、間隔保持部材２０の嵌合突部２１を側壁８の嵌合孔１２に押し付けて嵌合させる。このとき、図８に示すように、嵌合突部２１の上周縁４２は傾斜面に形成されているので、この傾斜した上周縁４２が嵌合孔１２を押し開くようにそこに入り込もうとする。そして、嵌合孔後部１５の作用によって、嵌合孔１２は比較的容易に開いて、嵌合突部２１は、嵌合孔１２に嵌合される。これにより、刃２４は、間隔保持部材２０と側壁８の間に固定される。次に、側壁８に間隔保持部材２０が嵌合された状態で、柄１を反転させると、間隔保持部材２０の当初下側にあった面が上側の面になるので、その上側になった面にもう１枚の刃２４を載せてセットする。そして、柄構成部２，３を連結部４を中心に縮閉させながら、一方の柄構成部２の側壁７を、刃２４が載せられている間隔保持部材２０の上に重ね、間隔保持部材２０の嵌合突部２１を側壁７の嵌合孔１１に押し付けて嵌合させる。このときも、前述した嵌合突部２１と嵌合孔１２との嵌合と同様に、嵌合孔１１は容易に開いて嵌合させることができる。一方の嵌合突部２１と嵌合孔１２との嵌合、及び他方の嵌合突部２１と嵌合孔１１との嵌合により、側壁７，８の嵌合突条１８，１８が、嵌合突部２１，２１のそれぞれの嵌合溝２９に嵌り込み、側壁７，８の嵌合突条１９，１９が、嵌合突部２１，２１のそれぞれの嵌合溝２８に嵌り込んで確実に嵌合される。また、このような組立て方法に代えて、あらかじめ間隔保持部材２０の両側に一対の刃２４，２４を接着、溶着又はかしめ等の手段を用いて装着したものを刃ユニットとしてユニット化し、この刃ユニットを両側壁７，８の間に装着する方法であってもよい。
【００３１】
次に、本実施例のサイズについて説明する。医療用ナイフの全長は約１４８ｍｍであり、刃２０を除いた柄１の全長は約１３４ｍｍである。柄１の最大横幅は約１６．５ｍｍであり、最大厚み、すなわち最大上下幅は約１３．５ｍｍである。サイズは以上の通りであるが、本発明がこれらの数値に限定されないことは勿論である。
【００３２】
なお、本発明は前述した構成に基づいて種々の態様をとることが可能である。例えば、連結部４を柄構成部２，３の厚みよりも薄い薄肉ヒンジで形成してもよい。この場合、柄構成部２，３が撓まない程度の厚みであっても、薄肉ヒンジの変形により、医療用ナイフとして組み立てられる前の柄１が、連結部４よりも前側の柄構成部２，３が連結部４を中心に拡開及び又は縮閉可能で、両側壁間７，８の間隔を遠近変更自在とすることができる。また、本実施例では、医療用ナイフとして組み立てられる前の柄１は、図６に示すように、両柄構成部２，３があらかじめ開いた状態に成形されるが、この開いた状態が閉じられて、両柄構成部２，３の側壁７，８同士が対向するように形成してもよい。この場合、製造過程において、両柄構成部２，３を開いた状態にセットして、下側の側壁の上から刃や間隔保持部材を重ねていく。また、本発明は、その構成要件である一対の刃以外に他の刃を追加したものであってもよい。例えば、インサート成形により間隔保持部材２０の中央に他の刃を取り付けたものであってもよい。あるいは、複数の間隔保持部材を用意し、それらの間隔保持部材同士の間に刃を挟持してユニット化したものを用いてもよい。
【産業上の利用可能性】
【００３３】
連結部よりも前側の両柄構成部が連結部を中心に互いに拡開及び又は縮閉可能となるように、且つ前記両側壁間の間隔が遠近変更自在となるように構成することにより、同一形状に成形した柄であっても、刃の間隔の異なる一対の刃を有する医療用ナイフとして組立てることができる。
【符号の説明】
【００３４】
１  柄、    ２  柄構成部、    ３  柄構成部、    ４  連結部、    ５  上壁、    ６  下壁、    ７  側壁、    ８  側壁、    ９  後ろ側部分、    １０  後ろ側部分、    １１  嵌合孔、    １２  嵌合孔、    １３  嵌合孔中央部、    １４  嵌合孔前部、    １５  嵌合孔後部、    １６  下面、    １７  下面、    １８  嵌合突条、    １９  嵌合突条、    ２０  間隔保持部材、    ２１  嵌合突部、    ２２  前側部分、    ２３  後ろ側部分、    ２４  刃、    ２５  挿通孔、    ２６  上面、    ２７  上面、    ２８  嵌合溝、    ２９  嵌合溝、    ３０  側壁の下端、    ３１  下壁の端部、    ３２  側壁の上端、    ３３  上壁の端部、    ３４  側壁の前端部、    ３５  側壁の前端部、    ３６  間隔保持部材の前端部、    ３７  間隔保持部材の前端部、    ３８  溝、    ３９  溝、    ４０  溝、    ４１  溝、    ４２  上周縁
【図１】
0006590647.tif 000002
【図２】
0006590647.tif 000003
【図３】
0006590647.tif 000004
【図４】
0006590647.tif 000005
【図５】
0006590647.tif 000006
【図６】
0006590647.tif 000007
【図７】
0006590647.tif 000008
【図８】
0006590647.tif 000009
【図９】
0006590647.tif 000010